(57)【要約】【課題】この発明は、既設の制御盤の箱体に対する、取り付け用の後加工を不要とし、既設の制御盤に簡易に取り付けることができる制御盤の防滴ユニットを得る。【解決手段】防滴ユニット１０は、箱体３の両側板３ｂの上部側から上方に突出するように取り付けられる一対の固定板１１と、一対の固定板１１を箱体３の両側板３ｂに固定する固定用磁石１３と、天板を覆い、かつ箱体３の前後方向に傾斜させて一対の固定板１１間に配置されて一対の固定板１１に着脱可能に取り付けられる遮蔽板１２と、を備える。【選択図】図３
2014201406.tif 000002
【特許請求の範囲】
【請求項１】
エレベータの機械室に設置され、通気孔が天板に形成された制御盤の箱体に装着される防滴ユニットであって、
上記箱体の両側板の上部側から上方に突出するように取り付けられる一対の固定板と、
上記一対の固定板を上記箱体の両側板に固定する固定用磁石と、
上記天板を覆い、かつ上記箱体の前後方向に傾斜させて上記一対の固定板間に配置されて上記一対の固定板に着脱可能に取り付けられる遮蔽板と、
を備える制御盤の防滴ユニット。
【請求項２】
上記一対の固定板の相対する面の上記固定用磁石の上記遮蔽板側に取り付けられる補助支持板と、
上記補助支持板を上記天板に固定する補助用磁石と、
をさらに備えていることを特徴とする請求項１記載の制御盤の防滴ユニット。
【請求項３】
上記補助支持板は、上記固定用磁石との間の距離が調整可能に上記一対の固定板に取り付けられることを特徴とする請求項２記載の制御盤の防滴ユニット。
【請求項４】
上記遮蔽板は、一対の固定板の相対する面と直交する方向に伸縮可能に構成されていることを特徴とする請求項１から請求項３のいずれか１項に記載の制御盤の防滴ユニット。
【請求項５】
上記遮蔽板は、上記箱体の前後方向の傾斜角度が調整可能に上記一対の固定板に取り付けられていることを特徴とする請求項１から請求項４のいずれか１項に記載の制御盤の防滴ユニット。
【発明の詳細な説明】
【技術分野】
【０００１】
この発明は、例えば、エレベータの機械室に設置された制御盤に取り付けられる防滴ユニットに関するものである。
【背景技術】
【０００２】
従来の防滴カバーは、エアフィルタを有する換気孔が下部に設けられ、通気孔が上面に設けられた制御盤の箱体に、通気孔の上方にこれを覆うように取り付けられ、縁部が中央部よりも上昇した斜面を構成して、箱体内の空気の熱対流を促進するように構成されていた（例えば、特許文献１参照）。
【先行技術文献】
【特許文献】
【０００３】
【特許文献１】実開昭５８−２７２６６号公報
【発明の概要】
【発明が解決しようとする課題】
【０００４】
しかしながら、従来の防滴カバーは、新設の制御盤に予め付設されるものであり、制御盤の箱体にネジなどの締結具を用いて取り付けられていた。そこで、既設の制御盤に防滴機能を付加する必要が生じた場合、既設の箱体に従来の防滴カバーを取り付けるには、箱体に取り付け用の穴加工が必要となり、防滴カバーの取付作業性が低下するという課題があった。
【０００５】
本発明は、このような課題を解決するためになされたものであり、既設の制御盤の箱体に対する、取り付け用の後加工を不要とし、既設の制御盤に簡易に取り付けることができる制御盤の防滴ユニットを得ることを目的とする。
【課題を解決するための手段】
【０００６】
本発明に係る制御盤の防滴ユニットは、エレベータの機械室に設置され、通気孔が天板に形成された制御盤の箱体に装着される防滴ユニットであって、上記箱体の両側板の上部側から上方に突出するように取り付けられる一対の固定板と、上記一対の固定板を上記箱体の両側板に固定する固定用磁石と、上記天板を覆い、かつ上記箱体の前後方向に傾斜させて上記一対の固定板間に配置されて上記一対の固定板に着脱可能に取り付けられる遮蔽板と、を備える。
【発明の効果】
【０００７】
本発明によれば、固定用磁石を用いて一対の固定板を制御盤の箱体の両側板に取り付けることができる。そこで、既設の制御盤に防滴機能を付加する必要が生じても、箱体に取り付け用の後加工が不要となり、防滴ユニットを既設の制御盤に簡易に取り付けることができる。
【図面の簡単な説明】
【０００８】
【図１】エレベータの機械室内の制御盤の設置状態を説明する模式図である。
【図２】この発明の実施の形態１に係る防滴ユニットを制御盤の箱体に取り付けた状態を示す正面図である。
【図３】この発明の実施の形態１に係る防滴ユニットを制御盤の箱体に取り付けた状態を示す側面図である。
【図４】この発明の実施の形態１に係る防滴ユニットを制御盤の箱体に取り付けた状態を示す上面図である。
【図５】この発明の実施の形態２に係る防滴ユニットを制御盤の箱体に取り付けた状態を示す正面図である。
【図６】図５のＶＩ−ＶＩ矢視断面図である。
【図７】この発明の実施の形態２に係る防滴ユニットを制御盤の箱体に取り付けた状態を示す上面図である。
【図８】この発明の実施の形態２に係る防滴ユニットを制御盤の箱体に取り付けた状態を示す側面図である。
【発明を実施するための形態】
【０００９】
以下、本発明の制御盤の防滴用カバーの好適な実施の形態について図面を用いて説明する。
【００１０】
実施の形態１．
図１はエレベータの機械室内の制御盤の設置状態を説明する模式図、図２はこの発明の実施の形態１に係る防滴ユニットを制御盤の箱体に取り付けた状態を示す正面図、図３はこの発明の実施の形態１に係る防滴ユニットを制御盤の箱体に取り付けた状態を示す側面図、図４はこの発明の実施の形態１に係る防滴ユニットを制御盤の箱体に取り付けた状態を示す上面図である。
【００１１】
まず、エレベータの機械室１は、図１に示されるように、エレベータの昇降路の上部に設置され、乗りかごを昇降させる巻き上げ機（図示せず）や乗りかごの運行を制御する制御盤２などが設置されている。さらに、エアコン６が機械室１の天井や側壁に設置されている。制御盤２は、箱体３に電子機器などを収容して構成される。箱体３は、各面を長方形とする六面体に構成され、換気孔５が前面扉３ａの下部に設けられ、通気孔７（図示せず）が天板３ｃに設けられている。
【００１２】
図２から図４において、防滴ユニット１０は、一対の固定板１１と、遮蔽板１２と、一対の固定板１１のそれぞれに取り付けられた固定用磁石１３と、を備えている。ここで、箱体３の幅をＷ，奥行きをＤとする。
【００１３】
固定板１１は、箱体３の奥行きＤ（側板３ｂの幅）より長い長さを有する矩形平板状に作製されている。固定用磁石１３は、奥行きＤより僅かに短い長さを有し、固定板１１の一面の一辺縁部側に、その一辺の長さ方向に延びるように固着されている。遮蔽板１２は、矩形平板状の板材の四辺の縁部側をそれぞれ一面側に９０度折り曲げて作製されている。そして、一対のねじ穴（図示せず）が相対する一対の折り曲げ片１２ａのそれぞれに折り曲げ片１２ａの長さ方向に離間して形成されている。そして、一対の折り曲げ片１２ａの外面間の距離が（Ｗ＋２ｄ）となっている。なお、ｄは固定用磁石１３の厚みである。
【００１４】
このように構成された防滴ユニット１０を既設の箱体３に取り付けるには、まず、箱体３の両側から、固定用磁石１３を箱体３の側板３ｂに向けて一対の固定板１１を側板３ｂに近づける。これにより、固定用磁石１３が側板３ｂの上部側に固着され、一対の固定板１１が箱体３の上方に突出した状態で相対するように取り付けられる。ついで、一対の折り曲げ片１２ａを固定板１１側に向けて遮蔽板１２を一対の固定板１１間に挿入する。ついで、取付ねじ１４を他面側から固定板１１に通し、折り曲げ片１２ａに形成されたねじ穴に締着して、遮蔽板１２を一対の固定板１１に連結し、防滴ユニット１０の取り付けが完了する。
【００１５】
このように構成された防滴ユニット１０は、箱体３に取り付け用の穴加工が不要となるので、既設の箱体３に防滴ユニット１０を簡易に取り付けることができる。そこで、エアコン６の結露やドレイン管詰まりなどによる水漏れ、エアコン６の停止による機械室１内での結露、環境の変化や異常気象による機械室１内での結露などが発生し、箱体３に水滴８がかかるような事態が懸念された場合にも、箱体３に防滴ユニット１０を速やかに取り付けることができ、水滴８が箱体３内に侵入するような事態を回避できる。したがって、箱体３を替えることなく、安価に既設の制御盤２に防滴仕様を付加することができる。また、新設時に、防滴用カバーが付設された箱体を用意する必要がなく、制御盤の低コスト化が図られる。
【００１６】
このように取り付けられた防滴ユニット１０は、図４に示されるように、遮蔽板１２が箱体３の天板３ｃの上方位置で天板３ｃを覆っている。そこで、箱体３に滴下される水滴８が遮蔽板１２に遮られ、天板３ｃの通気孔７から箱体３内に侵入することがない。また、一対の固定板１１が矩形平板状に作製され、箱体３の両側板３ｂから上方に突出しているので、水滴８が側方から天板３ｃ上に飛来するのを阻止することができ、水滴８の天板３ｃの通気孔７から箱体３内への侵入が抑えられる。これらにより、水滴が制御盤２に侵入することに起因する地落事故や短絡事故の発生を抑制できる。
【００１７】
また、遮蔽板１２は奥行き方向の前方に下がるように傾斜している。そこで、図３中矢印で示されるように、水滴８を遮蔽板１２上に溜めることなく、箱体３の前方に流れ落すことができる。さらに、図３中矢印で示されるように、空気が前面扉３ａの下部に設けられ換気孔５から流れ込み、箱体３内で発生した熱により暖められて、天板３ｃに設けられた通気孔７から流出する。通気孔７から流出した空気は、天板３ｃ上に滞留せずに傾斜する遮蔽板１２に沿って流れて排出される。したがって、暖められた空気が天板３ｃ上で滞留し、箱体３の温度が過度に上昇するような事態を回避できる。
【００１８】
実施の形態２．
図５はこの発明の実施の形態２に係る防滴ユニットを制御盤の箱体に取り付けた状態を示す正面図、図６は図５のＶＩ−ＶＩ矢視断面図、図７はこの発明の実施の形態２に係る防滴ユニットを制御盤の箱体に取り付けた状態を示す上面図、図８はこの発明の実施の形態２に係る防滴ユニットを制御盤の箱体に取り付けた状態を示す側面図である。
【００１９】
図５から図８において、防滴ユニット２０は、一対の固定板２１と、遮蔽板２６と、一対の固定板２１のそれぞれに取り付けられた固定用磁石１３と、を備えている。
【００２０】
固定板２１は、固定板１１と同等の矩形平板状に作製されている。そして、固定用磁石１３が、固定板２１の一面の一辺縁部側に、その一辺の長さ方向に延びるように固着されている。
【００２１】
補助支持板２２は、Ｌ字状に形成されている。そして、補助用磁石２３が補助支持板２２の一片の外面に固着され、ねじ穴（図示せず）が補助支持板２２の他片の長さ方向の両端側に形成されている。さらに、一対の高さ調整用ガイド穴２４が、固定用磁石１３が固着されている固定板２１の一辺側に固定板２１を貫通して、固定板２１の当該一辺の長さ方向に補助支持板２２に形成されたねじ穴間の間隔だけ離して、固定板２１の当該一辺と直交する方向に延びるように形成されている。補助支持板２２は、補助用磁石２３を固定用磁石１３に向け、かつ他片を固定板２１の一面側に向けて配置され、他面側から高さ調整用ガイド穴２４に通された調整ねじ２５をねじ穴に締着して、一対の固定板２１のそれぞれに取り付けられる。そして、補助支持板２２は、調整ねじ２５を緩めることにより、高さ調整用ガイド穴２４の穴方向に移動可能となっている。すなわち、固定板２１は、図５に矢印で示されるように、高さ位置調整可能に構成されている。
【００２２】
遮蔽板２６は、第１遮蔽板２７と、第２遮蔽板２９と、を備えている。第１遮蔽板２７は、矩形平板の相対する２辺を一面側に９０度ずつ二度折り曲げてコ字状に形成された一対のガイドレール２７ａと、矩形平板の残る２辺の内の一方の辺を他面側に９０度折り曲げて形成された取付片２７ｂと、を備える。そして、長さ調整用ガイド穴２８が、それぞれ、一対のガイドレール２７ａの相対する壁部を貫通して、ガイドレール２７ａの長さ方向に延びるように形成されている。第２遮蔽板２９は、矩形平板の相対する２辺を一面側に９０度折り曲げて形成された一対の係合片２９ａと、矩形平板の残る２辺の内の一方の辺を他面側に９０度折り曲げて形成された取付片２９ｂと、を備える。そして、ねじ穴（図示せず）が、係合片２９ａのそれぞれの、取付片２９ｂと反対側の端部に形成されている。
【００２３】
第２遮蔽板２９は、一対の係合片２９ａを一対のガイドレール２７ａに挿入して、第１遮蔽板２７にスライド可能に組み付けられ、外側から長さ調整用ガイド穴２８に挿入された調整ねじ３０を係合片２９ａに形成されたねじ穴に締着して、第１遮蔽板２６に固定される。このように構成された遮蔽板２６は、調整ねじ３０を緩めることにより、第２遮蔽板２９がガイドレール２７ａに案内されてスライドでき、第２遮蔽板２９の第１遮蔽板２６からの突出量を調整可能となっている。すなわち、遮蔽板２６は、図７に矢印で示されるように、ガイドレール２７ａの長さ方向に伸縮可能に構成されている。
【００２４】
角度調整用長穴３１が、それぞれ、取付片２７ｂ，２９ｂを貫通して、取付片２７ｂ，２９ｂの長さ方向の両端側に、取付片２７ｂ，２９ｂの長さ方向に延びるように形成されている。
角度調整用ガイド穴３２が、それぞれ、高さ調整用ガイド穴２４の固定用磁石１３と反対側に固定板２１を貫通して、角度調整用長穴３１間の間隔よりわずかに長い距離離間して、高さ調整用ガイド穴２４の穴方向と平行に、一対の固定板２１のそれぞれに形成されている。
【００２５】
遮蔽板２６は、一面を相対するように平行に配置された一対の固定板２１間に挿入され、調整ボルト３３を他面側から固定板２１の角度調整用ガイド穴３２に通し、さらに角度調整用長穴３１に通し、調整ボルト３３の角度調整用長穴３１からの突出部にナット３４を締着して、一対の固定板２１に取り付けられる。そして、ナット３４を緩め、例えば、図８中Ａの位置にある遮蔽板２６の前方側を下方に押し下げると、調整ボルト３３が、角度調整用長穴３１内を穴方向に移動し、かつ角度調整用ガイド穴３２内を穴方向に移動して、遮蔽板２６はＡの位置からＢの位置を経てＣの位置に移動する。すなわち、一対の固定板２１に取り付けられた遮蔽板２６は、箱体３の前後方向の傾斜角度が調整可能に構成されている。
【００２６】
このように構成された防滴ユニット２０を既設の箱体３に取り付けるには、まず、調整ねじ２５を緩め、補助支持板２２を高さ調整用ガイド穴２４の穴方向に移動させ、補助支持板２２の高さ位置を調整する。そして、補助支持板２２の高さ位置の調整後、調整ねじ２５を締着して、補助支持板２２を固定板２１に固定する。ついで、箱体３の両側から、固定用磁石１３を箱体３の側板３ｂに向けて一対の固定板２１を側板３ｂに近づけ、さらに箱体３の上方から補助支持板２２を天板３ｃに近づける。これにより、固定用磁石１３が側板３ｂの上部側に固着され、補助用磁石２３が天板３ｃの幅方向の両縁部に固着され、一対の固定板２１が箱体３の上方に突出した状態で相対するように取り付けられる。
【００２７】
ついで、遮蔽板２６は、調整ねじ３０を緩めて、第１遮蔽板２７からの第２遮蔽板２９の突出量を調整し、遮蔽板２６の長さを調整した後、調整ねじ３０を締着する。そして、取付片２７ｂ，２９ｂを一対の固定板２１側に向けて遮蔽板２６を一対の固定板２１間に挿入する。ついで、調整ボルト３３を他面側から固定板２１の角度調整用ガイド穴３２に通し、さらに角度調整用長穴３１に通し、調整ボルト３３の角度調整用長穴３１からの突出部にナット３４を締着して、遮蔽板２６を一対の固定板２１に連結する。
【００２８】
ついで、調整ねじ２５を緩めて、一対の固定板２１の高さ位置を微調整し、その後調整ねじ２５を締着する。また、ナット３４を緩めて、遮蔽板２６の傾斜角度を微調整し、その後ナット３４を締着する。さらに、調整ねじ３０を緩めて、遮蔽板２６の長さを微調整し、その後調整ねじ３０を締着して、防滴ユニット２０の取り付けが完了する。
【００２９】
この実施の形態２においても、一対の固定板２１が固定用磁石１３により箱体３の両側板３ｂに固着され、遮蔽板２６が前後方向に傾斜しているので、上記実施の形態１と同様の効果が得られる。
【００３０】
この実施の形態２によれば、下面に補助用磁石２３を有する補助支持板２２が固定板２１の固定用磁石１３の上方に取り付けられ、一対の固定板２１が箱体３に取り付けられた際に、補助用磁石２３が箱体３の天板３ｃに固着される。そこで、固定板２１が側板３ｂと天板３ｃに固定され、防滴ユニット２０を箱体３に安定した状態に取り付けることができる。
【００３１】
また、補助支持板２２が固定用磁石１３との間の距離を調整可能に固定板２１に取り付けられているので、機械室１の高さやエアコン６と制御盤２との距離に応じて、固定板２１の箱体３から上方への突出高さを調整できる。また、遮蔽板２６が箱体３の幅方向に伸縮可能に構成されているので、箱体３の幅寸法に応じて遮蔽板２６の幅を調整できる。したがって、防滴ユニット２０を制御盤２のサイズの異なる箱体３にも装着することができる。
【００３２】
また、遮蔽板２６が前後方向の傾斜角度を調整可能に一対の固定板２１に取り付けられている。そこで、通気孔７から排出される温められた空気を、図８に矢印で示されるように、機械室１のレイアウトにかかわらず確実に箱体３の前後のどちらかに逃がすことができる。
【符号の説明】
【００３３】
１  機械室、２  制御盤、３  箱体、３ｂ  側板、３ｃ  天板、７  通気孔、１０，２０  防滴ユニット、１１，２１  固定板、１２，２６  遮蔽板、１３  固定用磁石、２２  補助支持板、２３  補助用磁石。
【図１】
2014201406.tif 000003
【図２】
2014201406.tif 000004
【図３】
2014201406.tif 000005
【図４】
2014201406.tif 000006
【図５】
2014201406.tif 000007
【図６】
2014201406.tif 000008
【図７】
2014201406.tif 000009
【図８】
2014201406.tif 000010